(57)【要約】【課題】  シャッターを閉じたときに、半開きの状態になることのない遊技機の表示装置を提供すること。【解決手段】  パチンコ機１０の遊技面１１に、表示部２３を開閉する第１のシャッター２５と第２のシャッター２６を備えた表示装置２０を設けた。第１のシャッター１５に第１の歯車３２を設け、第２のシャッター２６に第２の歯車３３を設けるとともに、駆動モータ２７の回転軸に駆動歯車３１を取り付けて、駆動歯車３１を第１の歯車３２に歯合させた。駆動歯車３１と第２の歯車３３に中継歯車３４を歯合させて、第１のシャッター２５と第２のシャッター２６が反対方向に回転するようにした。また、中継歯車３４を、コイルバネ３４ａを介して同軸に連結され、駆動歯車３１に歯合する駆動側歯車３５と、第２の歯車３３に歯合する従動側歯車３６で構成し、コイルバネ３４ａで第２のシャッター２６を閉じる方向に付勢した。【選択図】  図４
2015084812.tif 000002
【特許請求の範囲】
【請求項１】
遊技面に設けられる表示部と、
前記表示部の両側に両端部を位置させて前記表示部の一方側の略半分を塞いだ状態と開放した状態との間で回転可能に設置された第１のシャッターと、
前記表示部の両側に両端部を位置させて前記表示部の他方側の略半分を塞いだ状態と開放した状態との間で回転可能に設置された第２のシャッターと、
駆動モータと、
前記駆動モータの回転軸に取り付けられた駆動歯車と、
前記第１のシャッターの一方の端部に設けられて前記駆動歯車に歯合し、前記駆動モータの作動により前記第１のシャッターを回転させる第１の歯車と、
前記第２のシャッターの一方の端部に設けられた第２の歯車と、
前記駆動歯車と前記第２の歯車とに歯合し、前記駆動モータの作動により前記第２のシャッターを前記第１のシャッターと反対方向に回転させる中継歯車とを備え、
前記中継歯車を、バネを介して同軸に連結され、前記駆動歯車に歯合する駆動側歯車と、前記第２の歯車に歯合する従動側歯車とで構成し、前記バネの弾性により前記第２のシャッターを前記表示部を塞ぐ方向に付勢するようにしたことを特徴とする遊技機の表示装置。
【請求項２】
前記駆動側歯車と、前記従動側歯車とに、互いに当接可能なストッパを設けて両ストッパの当接により、前記駆動側歯車と前記従動側歯車とが互いに回転できる角度を制限するようにした請求項１に記載の遊技機の表示装置。
【請求項３】
前記第１のシャッターの他方の端部と前記第２のシャッターの他方の端部を同じ軸部を中心に回転可能にし、前記第１の歯車と前記第２の歯車を同じ軸部を中心に回転可能にした請求項１または２に記載の遊技機の表示装置。
【請求項４】
前記第１のシャッターまたは前記第２のシャッターの回転角を検出するエンコーダと、前記エンコーダが検出する角度に応じて前記駆動モータの作動を制御する制御装置を設けた請求項１ないし３のうちのいずれか一つに記載の遊技機の表示装置。
【発明の詳細な説明】
【技術分野】
【０００１】
本発明は、遊技機の遊技面に設けられる表示部と、表示部を開閉するシャッターとを備えた遊技機の表示装置に関する。
【背景技術】
【０００２】
従来から、パチンコ機やスロットマシン等の遊技機においては、遊技の面白さを増すためや、リーチのような遊技状態を表すために、表示部を備えた表示装置が設けられており、このような表示装置の中に、表示部を開閉する目蓋シャッターを備えたものがある（例えば、特許文献１参照）。この表示装置（電動役物）は、パチンコ機の遊技面に設けられており、機枠と、機枠に回転自在に支持された回転体と、機枠に支持されて回転体の前面を開閉するシャッターとを備えている。また、回転体の外周面には図柄が表示され、回転体の内部には光源が配置されている。シャッターは、上下２枚の開閉片からなって、互いに反対方向に上下移動することにより開閉するように構成されている。このため、シャッターが開くと回転体の図柄が光源に照らされて見え、シャッターが閉じると回転体の図柄は見えなくなる。
【先行技術文献】
【特許文献】
【０００３】
【特許文献１】特開２０１２−１６５９７２号公報
【発明の概要】
【０００４】
しかしながら、前述した従来の表示装置では、シャッターを構成する２枚の開閉片の寸法や形状等の成形精度が良くなかったり、組み付け状態が良くなかったりした場合には、閉じた状態のときに「半開き」の状態になる虞がある。これによると、閉じたシャッターの隙間から図柄の一部が見えるため興趣を欠くようになる。
【０００５】
本発明は、前述した問題に対処するためになされたもので、その目的は、シャッターを閉じたときに、半開きの状態になることのない遊技機の表示装置を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明に係る遊技機の表示装置の構成上の特徴は、遊技面（１１）に設けられる表示部（２３）と、表示部の両側に両端部（２５ｂ，２５ｃ）を位置させて表示部の一方側の略半分を塞いだ状態と開放した状態との間で回転可能に設置された第１のシャッター（２５）と、表示部の両側に両端部（２６ｂ，２６ｃ）を位置させて表示部の他方側の略半分を塞いだ状態と開放した状態との間で回転可能に設置された第２のシャッター（２６）と、駆動モータ（２７）と、駆動モータの回転軸に取り付けられた駆動歯車（３１）と、第１のシャッターの一方の端部に設けられて駆動歯車に歯合し、駆動モータの作動により第１のシャッターを回転させる第１の歯車（３２）と、第２のシャッターの一方の端部に設けられた第２の歯車（３３）と、駆動歯車と第２の歯車とに歯合し、駆動モータの作動により第２のシャッターを第１のシャッターと反対方向に回転させる中継歯車（３４）とを備え、中継歯車を、バネ（３４ａ）を介して同軸に連結され、駆動歯車に歯合する駆動側歯車（３５）と、第２の歯車に歯合する従動側歯車（３６）とで構成し、バネの弾性により第２のシャッターを表示部を塞ぐ方向に付勢するようにしたことにある。
【０００７】
本発明に係る遊技機の表示装置では、表示部を開閉するシャッターを、第１のシャッターと、第２のシャッターとで構成し、第１のシャッターを、第１の歯車と駆動歯車を介して駆動モータに連結している。このため、駆動モータを作動させると第１のシャッターは、表示部の一方側の略半分を開閉するように回転する。また、第２のシャッターを、第２の歯車と、中継歯車と、駆動歯車とを介して駆動モータに連結している。このため、駆動モータを作動させると第２のシャッターは、第１のシャッターと反対方向に回転して表示部の他方側の略半分を開閉する。したがって、所定時間ごとに、駆動モータの回転方向を変えると、第１のシャッターと、第２のシャッターは互いに接近、離間を繰り返し、表示部の表面全体を開閉するようになる。
【０００８】
また、中継歯車を、バネを介して同軸に連結された駆動側歯車と従動側歯車との２個の歯車で構成し、バネの弾性により第２のシャッターを表示部を塞ぐ方向、すなわち第１のシャッター側に付勢するようにしている。このため、シャッターを閉じたときに、第１のシャッターと第２のシャッターとががたついてシャッターが「半開き」になることが防止され、表示部を確実に隠すことができる。この場合、駆動モータの停止により、駆動歯車が停止すると第１の歯車も停止して第１のシャッターは静止する。また、中継歯車の中の駆動歯車に歯合する駆動側歯車は停止するが、従動側歯車はバネに付勢されて回転するため、第２の歯車も回転し、第２のシャッターは第１のシャッター側に付勢される。
【０００９】
本発明に係る遊技機の表示装置の他の構成上の特徴は、駆動側歯車と、従動側歯車とに、互いに当接可能なストッパ（３５ｄ，３６ｄ）を設けて両ストッパの当接により、駆動側歯車と従動側歯車とが互いに回転できる角度を制限するようにしたことにある。この場合、駆動側歯車に対して従動側歯車が回転できる角度は１０度程度になるように設定することが好ましい。本発明によると、駆動側歯車と従動側歯車との間に適度な遊びを設けて、駆動側歯車の回転力を従動側歯車に伝達することができる。
【００１０】
本発明に係る遊技機の表示装置のさらに他の構成上の特徴は、第１のシャッターの他方の端部と第２のシャッターの他方の端部を同じ軸部（２２ｃ）を中心に回転可能にし、第１の歯車と第２の歯車を同じ軸部（２２ａ）を中心に回転可能にしたことにある。本発明によると、第１のシャッターと第２のシャッターが同じ軸を中心として回転するため、第１のシャッターと第２のシャッターの位置決めを正確にできるとともに、両シャッターの開閉動作をスムーズにすることができる。また、軸部の部品点数を最小限にすることができる。
【００１１】
本発明に係る遊技機の表示装置のさらに他の構成上の特徴は、第１のシャッターまたは第２のシャッターの回転角を検出するエンコーダ（３７，３８）と、エンコーダが検出する角度に応じて駆動モータの作動を制御する制御装置を設けたことにある。本発明によると、第１のシャッターと第２のシャッターからなるシャッターを正確な角度で開閉することができる。
【図面の簡単な説明】
【００１２】
【図１】本発明の一実施形態に係る表示装置をパチンコ機に取り付けた状態を示した正面図である。
【図２】表示装置を斜め上方から見た状態を示した斜視図である。
【図３】図２と反対側の斜め上方から表示装置を見た状態を示した斜視図である。
【図４】目蓋シャッターとその駆動機構を示した斜視図である。
【図５】駆動機構の要部を示した斜視図である。
【図６】図５の駆動機構を斜め上方から見た状態を示した斜視図である。
【図７】図５の駆動機構を反対側から見た状態を示した斜視図である。
【図８】中継歯車の分解斜視図である。
【図９】図８の反対側から中継歯車を見た状態を示した分解斜視図である。
【図１０】エンコーダの取付状態を示した斜視図である。
【図１１】エンコーダの取付状態を示した側面図である。
【図１２】エンコーダを示した正面図である。
【発明を実施するための形態】
【００１３】
以下、本発明の一実施形態を図面を用いて説明する。図１は、同実施形態に係る表示装置２０を備えた本発明に係る遊技機としてのパチンコ機１０を示している。パチンコ機１０の表面における上部には遊技面１１が設けられており、その下方には、遊技球（図示せず）を一旦溜めて順次発射位置に供給する上皿１２と、上皿１２から供給される遊技球を遊技面１１内に向けて発射するハンドル１３が設けられている。上皿１２の下方には、遊技球を溜めるための下皿１４が設けられている。また、遊技面１１の略中央には、窓部１５が設けられ、窓部１５の奥に液晶画面１６が設けられている。
【００１４】
さらに、遊技面１１における窓部１５の下方に２つの入賞装置１７ａ，１７ｂとアウト口１８とが、前述した順に、上方から下方に間隔をおいて設けられている。入賞装置１７ａ，１７ｂ内に遊技球が入ると、所定数の遊技球が賞球として、パチンコ機１０の裏面上部に設置された球タンクから球払出装置（図示せず）を介して上皿１２に送られる。アウト口１８は、入賞装置１７ａ，１７ｂに入らなかった遊技球を通過させてパチンコ機１０の下方に設置された回収タンク（図示せず）に送るためのゲート穴である。
【００１５】
表示装置２０は、図２および図３に示したように、ベース部２１と、表示部２３と、目蓋シャッター２４を備えており、ベース部２１を介して遊技面１１における液晶画面１６の上方に設置されている。なお、ベース部２１は、遊技面１１の内部に位置している。この表示装置２０は、所定のタイミングで、目蓋シャッター２４を開閉させることにより表示部２３を露出させたり隠したりするものである。また、表示装置２０は、図１に示したように、表示部２３を正面に向けて設置されるものであるが、以下の説明においては、表示装置２０の上下、前後および左右の各方向は、図２に基づいたものとする。すなわち、図２における左下方を前側とし、右上方を後側として説明する。また、図２における左上方を左側とし、右下方を右側とする。
【００１６】
表示装置２０は、ベース部２１、表示部２３および目蓋シャッター２４の他、ベース部２１の右側部に取り付けられた駆動モータ２７と、駆動モータ２７と目蓋シャッター２４を連結する駆動機構３０（図４参照）と、回転板３７と検出部３８からなるエンコーダと、カバー部材３９と、制御装置（図示せず）を備えている。ベース部２１は、台板２１ａと、台板２１ａの左右両側にそれぞれ設けられた側壁２１ｂ，２１ｃとで構成されている。台板２１ａは、平面視が略矩形の板状に形成されており、中央部分は、表示部２３を移動させる駆動機構（図示省略）を設置するためのスペースになっている。この駆動機構は複数の歯車で構成されている。また、台板２１ａの前後には、それぞれ駆動機構を作動させる駆動モータを設置するための設置部２１ｄ，２１ｅが形成されている。
【００１７】
なお、図示は省略しているが、表示部２３は、半球状に形成された曲面板の表面に図柄を施して構成されており、駆動モータの作動により、駆動機構を介して回転したり傾斜したりするように構成されている。これによって、表示部２３は、図柄の各部分を移動させながら正面に向けることができる。
【００１８】
また、側壁２１ｂの後部には、駆動モータ２７を設置するための設置部２１ｆが形成されている。この設置部２１ｆには、軸挿通穴２１ｇが形成されている。そして、側壁２１ｂの上部における前後方向の中央に左右に貫通する軸固定穴が形成されてこの軸固定穴に支軸２２ａが固定され、側壁２１ｂの中央よりもやや上方に左右に貫通する軸固定穴が形成されてこの軸固定穴に支軸２２ｂが固定されている。支軸２２ａ，２２ｂは、ともに側壁２１ｂからベース部２１の内部側に突出している。また、側壁２１ｃの上部における前後方向の中央には軸固定穴が形成され、この軸固定穴に支軸２２ａと対向して支軸２２ｃ（図１１参照）が固定されている。この支軸２２ｃは、側壁２１ｃからベース部２１の内部側に突出している。
【００１９】
目蓋シャッター２４は、図４に示したように、第１のシャッター２５と、第２のシャッター２６とで構成されている。第１のシャッター２５は、円弧状に湾曲して左右に延びるシャッター本体２５ａと、シャッター本体２５ａの左右両端に形成された連結部２５ｂ，２５ｃで構成されている。シャッター本体２５ａは、表示部２３の表面の１／４程度を覆える形状に形成されており、左右方向の中央部の幅が広く左右両端側に行くほど幅が徐々に狭くなっている。
【００２０】
連結部２５ｂは、シャッター本体２５ａの右端から前後方向に湾曲しながら水平に延びる円弧片２５ｄと、円弧片２５ｄの先端から円弧片２５ｄに直交して下方に延びる垂直片２５ｅで構成されている。連結部２５ｃは、連結部２５ｂと左右対称に形成されており、円弧片２５ｆと、垂直片２５ｇ（図１０参照）で構成されている。また、垂直片２５ｅ，２５ｇにはそれぞれ前後に並んで２個のネジ挿通穴（図示せず）が形成されている。
【００２１】
第２のシャッター２６は、シャッター本体２６ａと、シャッター本体２６ａの左右両端に形成された連結部２６ｂ，２６ｃで構成されており、連結部２６ｂは円弧片２６ｄと垂直片２６ｅで構成され、連結部２６ｃは円弧片２６ｆと、垂直片２６ｇで構成されている。第２のシャッター２６を構成する各部分のうち、シャッター本体２６ａはシャッター本体２５ａと略同一に形成され、連結部２６ｂの垂直片２６ｅは連結部２５ｂの垂直片２５ｅと略同一に形成されている。
【００２２】
また、連結部２５ｃの垂直片２５ｇは、垂直片２５ｅや垂直片２６ｅと同じ形状に形成されているが、連結部２６ｃの垂直片２６ｇは上下に長い略長円状に形成されており、この垂直片２６ｇだけ他の垂直片２５ｅ等とは異なる形状をしている。また、連結部２６ｂの円弧片２６ｄの左右方向の長さは、連結部２５ｂの円弧片２５ｄの左右方向の長さよりも少し短く、連結部２６ｃの円弧片２６ｆの左右方向の長さは、連結部２５ｃの円弧片２５ｆの左右方向の長さよりも少し短くなっている。そして、垂直片２６ｅには、前後に並んで２個のネジ挿通穴（図示せず）が形成され、垂直片２６ｇには、１個のネジ挿通穴２６ｈが形成されている。
【００２３】
駆動モータ２７は、正逆回転が可能なステッピングモータからなっており、モータ本体２７ａから回転軸（図示せず）を左側に突出させて構成されている。また、モータ本体２７ａの回転軸が突出した方の端面における対向する部分には、それぞれ外部に向かって突出する一対のネジ挿通片２７ｂ，２７ｃが設けられている。駆動モータ２７は、回転軸を設置部２１ｆに形成された軸挿通穴２１ｇに通して設置部２１ｆに設置され、ネジ挿通片２７ｂ，２７ｃをそれぞれネジ２８で設置部２１ｆに固定することにより、ベース部２１に組み付けられている。
【００２４】
駆動機構３０は、図５ないし図７に示したように、駆動歯車３１、第１の歯車３２、第２の歯車３３および中継歯車３４を備えている。駆動歯車３１は、外周に歯部３１ａが形成され、中心に固定用穴３１ｂが形成された歯車で構成されており、固定用穴３１ｂを介して駆動モータ２７の回転軸に固定されて駆動モータ２７の作動により回転軸とともに回転する。第１の歯車３２は、第１のシャッター２５に組み付けられて駆動歯車３１に歯合することにより、駆動歯車３１の駆動力を第１のシャッター２５に伝達する。第１の歯車３２は、図７に示したように、外周の一部を除いた部分に歯部３２ａが形成され、歯部３２ａが形成されていない部分に、外周側に円弧状に膨らんだ被固定部３２ｂが形成されている。被固定部３２ｂには、垂直片２５ｅのネジ挿通穴と同じ間隔で２個のネジ穴３２ｃが形成されている。
【００２５】
第１の歯車３２は、被固定部３２ｂの外周面を円弧片２５ｄに対向させ、ネジ穴３２ｃを垂直片２５ｅのネジ挿通穴に合わせて、連結部２５ｂに組み付けられ、２個のネジ２９ａをそれぞれネジ挿通穴に通してネジ穴３２ｃに螺合させることにより連結部２５ｂに固定されている。また、第１の歯車３２の中心には、支軸２２ａが挿通する軸挿通穴３２ｄが形成されており、第１の歯車３２は、軸挿通穴３２ｄに支軸２２ａを挿通させることにより、支軸２２ａを中心として回転可能になっている。
【００２６】
第２の歯車３３は、第１の歯車３２と同じ歯車で構成されており、歯部３３ａと、被固定部３３ｂを備えている。被固定部３３ｂには、垂直片２６ｅのネジ挿通穴と同じ間隔で２個のネジ穴３３ｃが形成され、第２の歯車３３の中心には支軸２２ａが挿通する軸挿通穴３３ｄが形成されている。第２の歯車３３は、被固定部３３ｂの外周面を円弧片２６ｄに対向させ、ネジ穴３３ｃを垂直片２６ｅのネジ挿通穴に合わせて、連結部２６ｂに組み付けられ、２個のネジ２９ｂをそれぞれネジ挿通穴に通してネジ穴３３ｃに螺合させることにより連結部２６ｂに固定されている。また、第２の歯車３３は、軸挿通穴３３ｄに支軸２２ａを挿通させることにより、支軸２２ａを中心として回転可能になっている。第２の歯車３３は、第１の歯車３２の左側に位置している。
【００２７】
中継歯車３４は、駆動歯車３１の駆動力を第２の歯車３３を介して第２のシャッター２６に伝達する歯車であり、図８および図９に示したように、駆動側歯車３５と、従動側歯車３６と、コイルバネ３４ａで構成されている。駆動側歯車３５は、全体の大きさが前述した第１の歯車３２および第２の歯車３３よりも小さく外周部全体に歯部３５ａが形成された歯車からなり、中心には支軸２２ｂが挿通できる軸挿通穴３５ｂが形成されている。また、駆動側歯車３５の左側面中央には、軸挿通穴３５ｂを延長させる環状の堰３５ｃが形成され、その外周側に円弧状の堰３５ｄが形成されている。この堰３５ｃ，３５ｄは、後述するコイルバネ３４ａの位置ずれを防止する。また、駆動側歯車３５における堰３５ｃ，３５ｄ間の所定部分に左右に貫通する係止穴３５ｅが形成されている。
【００２８】
従動側歯車３６は、全体の大きさが前述した第１の歯車３２および第２の歯車３３よりもやや大きく外周部全体に歯部３６ａが形成された歯車からなり、中心には支軸２２ｂが挿通できる軸挿通穴３６ｂが形成されている。また、従動側歯車３６の右側面中央には軸挿通穴３６ｂを延長させる環状の堰３６ｃが形成され、その外周側に円弧状の堰３６ｄが形成されている。この堰３６ｃ，３６ｄはコイルバネ３４ａの位置ずれを防止する。堰３６ｄは、前述した堰３５ｄと円弧状の両端面どうしを当接可能な状態で対向させて配置され、この堰３５ｄ，３６ｄで本発明に係るストッパが構成される。また、従動側歯車３６における堰３６ｃ，３６ｄ間の所定部分に左右に貫通する係止穴３６ｅが形成されている。
【００２９】
コイルバネ３４ａは、螺旋状のバネ本体３４ｂの両端に軸方向に延びる係止部３４ｃ，３４ｄを形成して構成されている。コイルバネ３４ａは、係止部３４ｃを係止穴３５ｅに通し、バネ本体３４ｂの右端部を堰３５ｃと堰３５ｄの間に挿入することにより駆動側歯車３５に組み付けられており、バネ本体３４ｂの右端部の外周の略半分は堰３５ｄに覆われている。これによって、バネ本体３４ｂの右端部は駆動側歯車３５に対する位置ずれを防止される。
【００３０】
コイルバネ３４ａの左端部は、係止部３４ｄを係止穴３６ｅに通し、バネ本体３４ｂの左端部を堰３６ｃと堰３６ｄの間に挿入することにより従動側歯車３６に組み付けられており、バネ本体３４ｂの左端部の外周の略半分は堰３６ｄに覆われている。これによって、バネ本体３４ｂの左端部は従動側歯車３６に対する位置ずれを防止される。なお、堰３５ｄと堰３６ｄは、ともに略半円状に形成されており、駆動側歯車３５と従動側歯車３６を組み付けたときに、堰３５ｄと堰３６ｄは円周方向に連なるが、このとき、堰３５ｄと堰３６ｄの端部間に僅かな隙間が生じるように設定されている。
【００３１】
このようにコイルバネ３４ａを介して組み付けられた駆動側歯車３５と従動側歯車３６は、それぞれ支軸２２ｂに回転可能に取り付けられる。そして、コイルバネ３４ａに抗して、従動側歯車３６を、駆動側歯車３５に対して、図９の状態での時計回り方向に回転させた状態で、駆動側歯車３５を駆動歯車３１に歯合させ、従動側歯車３６を第２の歯車３３に歯合させる。このため、従動側歯車３６は、コイルバネ３４ａによって駆動側歯車３５に対して反時計周り方向に付勢された状態になる。
【００３２】
この場合、駆動側歯車３５に対して従動側歯車３６が回転できる角度は略１０度程度になるように設定しておく。この角度は、堰３５ｄと堰３６ｄの端部間の隙間によって決まるものであるが、一つの歯のなす角度（３６０°／歯数）分にしておく。この一つの歯のなす角度は、駆動側歯車３５と従動側歯車３６のうち回転角度が大きくなる方の歯車の歯の角度とし、本実施形態では、後述する各歯車の歯数の関係から駆動側歯車３５の歯の角度とする。これによると、組付け時に、駆動側歯車３５と駆動歯車３１および従動側歯車３６と第２の歯車３３が中途半端に噛み合うことを防止し、確実に歯合させることができる。
【００３３】
第１のシャッター２５の垂直片２５ｇは、図１０および図１１に示したように、回転板３７に連結され、この回転板３７を介して第１のシャッター２５の左側部分（図１０では右側）は支軸２２ｃに回転可能に支持されている。回転板３７は、円板の外周の一部に円弧状の膨出部３７ａを設けて構成されており、膨出部３７ａには、円周方向に一定間隔で複数の透孔３７ｂが形成されている。また、回転板３７の中心には、支軸２２ｃが挿通する挿通穴を備えた筒状の挿通穴部３７ｃが形成されており、回転板３７は挿通穴部３７ｃに支軸２２ｃを通して、支軸２２ｃに回転可能に支持されている。回転板３７の外周部分における膨出部３７ａから離れた部分には円周方向に間隔をおいて２個のネジ穴（図示せず）が形成されている。
【００３４】
そして、回転板３７は、ネジ穴を垂直片２５ｇのネジ挿通孔に合わせ、２個のネジ２９ｃをそれぞれネジ挿通穴に通してネジ穴に螺合させることにより垂直片２５ｇに固定されている。また、第２のシャッター２６の垂直片２６ｇに形成されたネジ挿通穴２６ｈにも支軸２２ｃが挿通している。このため、第２のシャッター２６の左側部分は支軸２２ｃに回転可能に支持されている。なお、垂直片２６ｇは回転板３７の右側に位置している。
【００３５】
目蓋シャッター２４と駆動機構３０を、以上のようにしてベース部２１に組み付けたため、駆動モータ２７が一方に回転して、図５に示したように、駆動歯車３１が矢印ａで示した反時計周り方向に回転すると、第１の歯車３２は矢印ｂで示した時計周り方向に回転する。これによって、第１のシャッター２５は矢印ｃで示した開く方向に移動する。また、駆動側歯車３５は、矢印ｄで示した時計周り方向に回転するので、堰３５ｄの時計周り方向の端面が、堰３６ｄの反時計周り方向の端面に当接して押すようになる。このため、従動側歯車３６も駆動側歯車３５とともに時計周り方向に回転する。これによって、第２の歯車３３は矢印ｅで示した反時計周り方向に回転し、第２のシャッター２６は矢印ｆで示した開く方向に移動する。
【００３６】
また、駆動モータ２７が逆回転すると、駆動歯車３１等の各歯車は前述した方向と逆に回転して、第１のシャッター２５および第２のシャッター２６はそれぞれ閉じる方向に回転する。第１のシャッター２５と第２のシャッター２６が閉じたのちも、従動側歯車３６が、コイルバネ３４ａによって反時計周り方向に付勢されているため、第２のシャッター２６は閉じる方向に付勢される。これによって、目蓋シャッター２４が半開きの状態になることが防止される。なお、本実施形態においては、駆動歯車３１、第１の歯車３２、第２の歯車３３および従動側歯車３６の歯数はそれぞれ２０に設定され、駆動側歯車３５の歯数は１６に設定されている。このため、駆動歯車３１が１回転する間に、第１の歯車３２が１回転するのに対し、第１の歯車３２は、１．２５（２０／１６）回転する。
【００３７】
また、側壁２１ｃの外面における回転板３７の近傍には、前述した回転板３７とでエンコーダを構成する検出部３８（図１０ないし図１２参照）が設置されている。この検出部３８は、光を発生する発光子３８ａと、発光子３８ａが発生する光を受光する受光子３８ｂを対向させた状態で支持部３８ｃに取り付けて構成されており、支持部３８ｃはネジ２９ｄによって側壁２１ｃに固定されている。この検出部３８は、発光子３８ａと受光子３８ｂとの間に、回転板３７の外周部分が位置するように設置されている。そして、回転板３７の回転により、発光子３８ａと受光子３８ｂとの間に、透孔３７ｂが位置したときに、受光子３８ｂは受光し、それ以外のときには受光しなくなる。検出部３８は、受光子３８ｂが断続的に受光することにより回転板３７の回転角を検出し、この検出値に基づいて制御装置が駆動モータ２７の回転方向を変更する。
【００３８】
カバー部材３９は、表示部２３と目蓋シャッター２４の外周部分を覆っており、カバー本体３９ａと、端部被覆部３９ｂ，３９ｃと、固定部３９ｄで構成されている。カバー本体３９ａは、半球状の板の中央に円形の窓部３９ｅを形成した形状をしており、窓部３９ｅ内には表示部２３または目蓋シャッター２４が露出する。端部被覆部３９ｂは、連結部２５ｂ，２６ｂおよび第１の歯車３２の上部を覆える形状に形成され、端部被覆部３９ｃは、連結部２５ｃ，２６ｃおよび回転板３７の上部を覆える形状に形成されている。固定部３９ｄは平面板状に形成されており、端部被覆部３９ｂの後部と、端部被覆部３９ｃの前後にそれぞれ形成されている。そして、カバー部材３９は、各固定部３９ｄを、ネジ２９ｅによって側壁２１ｂ，２１ｃの上面に固定することによってベース部２１に組み付けられている。
【００３９】
このように構成した表示装置２０は、どのような方向に向けて設置してもよいが、本実施形態では、図１に示したように、第１のシャッター２５が第２のシャッター２６の下方に位置するようにして、パチンコ機１０の遊技面１１に設置している。なお、図１には、目蓋シャッター２４が半分開いた状態を示している。そして、目蓋シャッター２４が閉じた状態では、表示部２３は隠れ、目蓋シャッター２４が開いた状態では、表示部２３は露出する。また、パチンコ機１０には、駆動モータ２７の作動を制御する制御装置の他、表示部２３を移動させる駆動モータの作動を制御する制御装置や、両制御装置に駆動モータ２７等を作動させるための作動信号を発信する信号発信装置も備わっている。
【００４０】
そして、両制御装置は、信号発信装置から送られる信号や、検出部３８から送られる信号等に基づいて、駆動モータ２７等を作動させる。この駆動モータ２７等の作動により、目蓋シャッター２４は開閉し、目蓋シャッター２４が開いているときに、表示部２３は種々の方向に移動して正面に現れる図柄を変更する。このような動作が、パチンコ機１０を使用して遊技が行われている際に、所定のタイミングで発生する、これによって、遊技の面白さが増加する。また、遊技状態が、大当たりの前のリーチの状態になったときに、目蓋シャッター２４が開くように設定することもできる。
【００４１】
以上のように、本実施形態に係る表示装置２０では、表示部２３を開閉する目蓋シャッター２４を、第１のシャッター２５と、第２のシャッター２６とで構成し、第１のシャッター２５を、第１の歯車３２と駆動歯車３１を介して駆動モータ２７に連結している。このため、駆動モータ２７を作動させると第１のシャッター２５は、表示部２３の一方側の略半分を開閉する。また、第２のシャッター２６を、第２の歯車３３と、中継歯車３４と、駆動歯車３１とを介して駆動モータ２７に連結している。このため、駆動モータ２７を作動させると第２のシャッター２６は、第１のシャッター２５と反対方向に回転して表示部２３の他方側の略半分を開閉する。したがって、所定時間ごとに、駆動モータ２７の回転方向を変えると、第１のシャッター２５と、第２のシャッター２６は互いに接近、離間を繰り返し、表示部２３を開閉する。
【００４２】
また、中継歯車３４を、コイルバネ３４ａを介して同軸に連結された駆動側歯車３５と従動側歯車３６とで構成し、コイルバネ３４ａの弾性により第２のシャッター２６を表示部２３を塞ぐ方向に付勢するようにしている。このため、目蓋シャッター２４を閉じたときに、「半開き」になることが防止され、表示部２３を確実に隠すことができる。また、第２のシャッター２６を上方に配置して、閉じるときに下降するようにしているため、自重を利用することができコイルバネ３４ａによる付勢をより効果的に行うことができる。
【００４３】
さらに、従動側歯車３６の歯数を他の駆動歯車３１等と同じ２０に設定したのに対し、駆動側歯車３５の歯数を１６に設定したため、第１のシャッター２５よりも第２のシャッター２６の方が少し早く回転するようになる。このように、第１のシャッター２５と第２のシャッター２６との回転速度が異なるようにすることにより、目蓋シャッター２４の動きに面白みが増すようになる。
【００４４】
さらに、第１のシャッター２５と第２のシャッター２６が、直線上に位置する支軸２２ａと支軸２２ｃを中心に回転可能に設置されているため、第１のシャッター２５と第２のシャッター２６の位置決めを正確にできるとともに、両シャッター２５，２６の開閉動作をスムーズにすることができる。また、支軸の点数を最小限にすることができる。さらに、回転板３７と検出部３８からなるエンコーダを設けて、第１のシャッター２５の回転角を検出するようにしたため、目蓋シャッター２４を正確な角度で開閉することができる。
【００４５】
本発明に係る遊技機の表示装置は、前述した実施形態に限定するものでなく、適宜変更することができる。例えば、前述した実施形態では、遊技機として、パチンコ機１０を用いているが、この遊技機としてはパチンコ機に限らず、スロットマシンやスマートボール等を用いてもよい。また、前述した実施形態では、駆動側歯車３５の歯数を従動側歯車３６等の歯数よりも少なくしているが、駆動側歯車３５の歯数を他の歯車の歯数と同じにして、第１のシャッター２５と第２のシャッター２６が同じ速度で開閉するようにしてもよい。逆に、駆動側歯車３５の歯数を他の歯車の歯数よりも多くして、第１のシャッター２５よりも第２のシャッター２６の方が遅く回転するようにすることもできる。また、本発明に係る遊技機の表示装置のそれ以外の部分の構成についても本発明の技術的範囲内で適宜変更して実施することが可能である。
【符号の説明】
【００４６】
１０…パチンコ機，１１…遊技面，２０…表示装置，２２ａ，２２ｃ…支軸，２３…表示部，２５…第１のシャッター，２５ｂ，２５ｃ，２６ｂ，２６ｃ…連結部，２６…第２のシャッター，２７…駆動モータ，３１…駆動歯車，３２…第１の歯車，３３…第２の歯車，３４…中継歯車，３４ａ…コイルバネ，３５…駆動側歯車，３５ｄ，３６ｄ…堰，３６…従動側歯車，３７…回転板，３８…検出部。
【図１】
2015084812.tif 000003
【図２】
2015084812.tif 000004
【図３】
2015084812.tif 000005
【図４】
2015084812.tif 000006
【図５】
2015084812.tif 000007
【図６】
2015084812.tif 000008
【図７】
2015084812.tif 000009
【図８】
2015084812.tif 000010
【図９】
2015084812.tif 000011
【図１０】
2015084812.tif 000012
【図１１】
2015084812.tif 000013
【図１２】
2015084812.tif 000014